(57)【特許請求の範囲】
【請求項１】
サービス情報のコンテンツを取得するための方法であって、
サービス情報プロバイダによって提供される無線ネットワークと関連付けられたサービスネットワーク情報を検出するステップと、
前記サービスネットワーク情報に含まれる識別子を取得するステップと、
前記識別子がデータベースに格納されているかどうかを判断するステップと、
前記識別子が前記データベースに格納されていると判断される場合に、端末デバイスにローカルに格納されるライブラリから、前記識別子と前記サービス情報のコンテンツとの間の対応する関係に基づいて、前記サービス情報のコンテンツを取得するステップと
を含み、
前記ライブラリは、前記識別子に対応する、プリセットされたサービス情報のコンテンツを含む、方法。
【請求項２】
前記サービスネットワーク情報の信号強度を検出するステップと、
前記サービスネットワーク情報の前記信号強度に基づいて順番に前記サービス情報のコンテンツを配列するステップと、
前記順番に従って、前記端末デバイス上に前記サービス情報のコンテンツを表示するステップと
をさらに含む、請求項１に記載の方法。
【請求項３】
前記サービス情報のコンテンツと関連付けられた動作を決定するステップと、
前記サービス情報のコンテンツのユーザ選択が検出される際に前記動作をトリガするステップと
をさらに含む、請求項１に記載の方法。
【請求項４】
前記サービス情報のコンテンツと関連付けられた前記動作が、端末デバイス上でのアプリケーションの始動、ウェブページへの接続、情報の受信、情報の格納、およびアプリケーションのダウンロードの少なくとも１つを含む、請求項３に記載の方法。
【請求項５】
前記識別子が、前記サービスネットワーク情報をブロードキャストするデバイスの識別情報、前記無線ネットワークの識別情報、およびセルラ移動ネットワークの領域識別情報の少なくとも１つを含む、請求項１に記載の方法。
【請求項６】
前記データベースが、複数のプリセット識別子および前記プリセット識別子の各々の対応するサービス情報のコンテンツを含む、請求項１に記載の方法。
【請求項７】
サービス情報のコンテンツを取得するための方法であって、
サービス情報プロバイダによって提供される無線ネットワークと関連付けられたサービスネットワーク情報を検出するステップと、
前記サービスネットワーク情報に含まれる識別子を取得するステップと、
前記識別子と前記サービス情報プロバイダとの間の対応する関係に基づいて、前記サービス情報プロバイダを識別するステップと、
端末デバイスにローカルに格納されるライブラリから、前記識別されたサービス情報プロバイダに基づいて、前記サービス情報のコンテンツを取得するステップと、
前記端末デバイス上に前記サービス情報のコンテンツを表示するステップと
を含み、
前記ライブラリは、前記識別されたサービス情報プロバイダに対応する、プリセットされたサービス情報のコンテンツを含む、方法。
【請求項８】
前記サービスネットワーク情報の信号強度を検出するステップと、
前記サービスネットワーク情報の前記信号強度に基づいて順番に前記サービス情報のコンテンツを配列するステップと、
前記順番に従って、前記端末デバイス上に前記サービス情報のコンテンツを表示するステップと
をさらに含む、請求項７に記載の方法。
【請求項９】
前記サービス情報のコンテンツと関連付けられた動作を決定するステップと、
前記サービス情報のコンテンツのユーザ選択が検出される際に前記動作をトリガするステップと
をさらに含む、請求項７に記載の方法。
【請求項１０】
前記サービス情報のコンテンツと関連付けられた前記動作が、端末デバイス上でのアプリケーションの始動、ウェブページへの接続、情報の受信、情報の格納、およびアプリケーションのダウンロードの少なくとも１つを含む、請求項９に記載の方法。
【請求項１１】
前記識別子が、前記サービスネットワーク情報をブロードキャストするデバイスの識別情報、前記無線ネットワークの識別情報、およびセルラ移動ネットワークの領域識別情報の少なくとも１つを含む、請求項７に記載の方法。
【請求項１２】
前記サービスネットワーク情報が、WI-FIまたはBluetooth通信プロトコルを使用してネットワークデバイスによってブロードキャストされる、請求項７に記載の方法。
【請求項１３】
サービス情報のコンテンツを取得するためのデバイスであって、
サービス情報プロバイダによって提供される無線ネットワークと関連付けられたサービスネットワーク情報を検出するように構成された情報検出モジュールと、
前記サービスネットワーク情報に含まれる識別子を取得するように構成された識別子取得モジュールと、
前記識別子がデータベースに格納されているかどうかを判断するように構成された判断モジュールと、
前記識別子が前記データベースに格納されていると前記判断モジュールが判断する場合に、前記デバイスにローカルに格納されるライブラリから、前記識別子と前記サービス情報のコンテンツとの間の対応する関係に基づいて、前記サービス情報のコンテンツを取得するように構成されたコンテンツ取得モジュールと
を含み、
前記ライブラリは、前記識別子に対応する、プリセットされたサービス情報のコンテンツを含む、デバイス。
【請求項１４】
前記サービスネットワーク情報の信号強度を検出し、前記サービスネットワーク情報の前記信号強度に基づいて順番に前記サービス情報のコンテンツを配列するように構成された配列モジュールと、
前記順番に従って、前記デバイス上に前記サービス情報のコンテンツを表示するように構成された表示モジュールと
をさらに含む、請求項１３に記載のデバイス。
【請求項１５】
前記サービス情報のコンテンツと関連付けられた動作を決定し、前記サービス情報のコンテンツのユーザ選択が検出される際に前記動作をトリガするように構成された動作開始モジュールをさらに含む、請求項１３に記載のデバイス。
【請求項１６】
前記サービス情報のコンテンツと関連付けられた前記動作が、デバイス上でのアプリケーションの始動、ウェブページへの接続、情報の受信、情報の格納、およびアプリケーションのダウンロードの少なくとも１つを含む、請求項１５に記載のデバイス。
【請求項１７】
前記識別子が、前記サービスネットワーク情報をブロードキャストするデバイスの識別情報、前記無線ネットワークの識別情報、およびセルラ移動ネットワークの領域識別情報の少なくとも１つを含む、請求項１３に記載のデバイス。
【請求項１８】
前記データベースが、リモートサーバに格納され、前記判断モジュールが、前記識別子が前記データベースに格納されているかどうかを判断するための前記リモートサーバとの情報交換を実行するように構成される、請求項１３に記載のデバイス。
【請求項１９】
前記データベースが、複数のプリセット識別子および前記プリセット識別子の各々の対応するサービス情報のコンテンツを含む、請求項１３に記載のデバイス。
【請求項２０】
命令の組を記憶する非一時的コンピュータ可読記憶媒体であって、前記命令は、端末デバイスの少なくとも一つのプロセッサによって、前記端末デバイスに、サービス情報のコンテンツを取得するための方法を実行させるように、実行可能であり、前記方法は、
サービス情報プロバイダによって提供される無線ネットワークと関連付けられたサービスネットワーク情報を検出するステップと、
前記サービスネットワーク情報に含まれる識別子を取得するステップと、
前記識別子がデータベースに格納されているかどうかを判断するステップと、
前記識別子が前記データベースに格納されていると判断される場合に、前記端末デバイスにローカルに格納されるライブラリから、前記識別子と前記サービス情報のコンテンツとの間の対応する関係に基づいて、前記サービス情報のコンテンツを取得するステップと
を含み、
前記ライブラリは、前記識別子に対応する、プリセットされたサービス情報のコンテンツを含む、非一時的コンピュータ可読記憶媒体。
【請求項２１】
命令の組を記憶する非一時的コンピュータ可読記憶媒体であって、前記命令は、端末デバイスの少なくとも一つのプロセッサによって、前記端末デバイスに、サービス情報のコンテンツを取得するための方法を実行させるように、実行可能であり、前記方法は、
サービス情報プロバイダによって提供される無線ネットワークと関連付けられたサービスネットワーク情報を検出するステップと、
前記サービスネットワーク情報に含まれる識別子を取得するステップと、
前記端末デバイスにローカルに格納されるライブラリから、前記識別子と前記サービス情報プロバイダとの間の対応する関係に基づいて、前記サービス情報プロバイダを識別するステップと、
前記識別されたサービス情報プロバイダに基づいて、前記サービス情報のコンテンツを取得するステップと、 
前記端末デバイス上に前記サービス情報のコンテンツを表示するステップと
を含み、
前記ライブラリは、前記識別されたサービス情報プロバイダに対応する、プリセットされたサービス情報のコンテンツを含む、非一時的コンピュータ可読記憶媒体。
【発明の詳細な説明】
【技術分野】
【０００１】
関連出願の相互参照
本出願は、２０１４年９月１７日に出願された中国特許出願中国特許出願公開第２０１４１０４７５３０７．７号に基づき、かつそれに対する優先権を主張し、この特許出願の全内容は参照により本明細書に組み込まれる。
【０００２】
技術分野
本出願は、情報技術の分野に関し、より具体的には、サービス情報のコンテンツを取得するための方法およびデバイスに関する。
【背景技術】
【０００３】
背景
情報技術の急速な開発と共に、端末デバイスは、商品販売、商人のプロモーション、オファーサービスなどの企業または政府によるブロードキャスト情報を受信し、ブロードキャスト情報をユーザに提示することができる。次いで、ブロードキャスト情報を受信後、ユーザは、対応する情報またはサービスを取得するために、端末デバイス上の対応するアプリケーションをダウンロードするかまたはそれにログインすることができる。
【０００４】
専用周波数帯域におけるWI-FIデバイス、Bluetooth（登録商標）デバイス、基地局または情報送信装置などの様々なタイプの情報ブロードキャストデバイスは、ブロードキャスト情報を提供するために商人または個人によって使用され得る。サービスエリアに入ると、ユーザは、周辺エリアにおいて利用可能なサービス情報を検索するために、対応する情報受信デバイスまたはアプリケーションを起動することができる。対応する受信デバイスを介してブロードキャスト情報を受信した後、通常、ユーザは、情報プロバイダとの通信接続を確立し、サービス情報のコンテンツを識別し、次いで、サービス情報のコンテンツに従ってサービスを取得するかどうかを判断する必要がある。ユーザがサービスを取得すると判断する場合、ユーザは、さらに、端末デバイスにおいて対応するアプリケーションの実行を開始するか、または他の動作を実行することができる。例えば、商人は、ショッピングモールＳの無線ネットワークＳ１を介して商品を購入するための特別なプロモーションウェブページに接続しているユーザに対して、１０パーセントの追加の割引をオファーすることができる。オファーを活用するため、ユーザＡは、端末デバイスを使用して、WI-FIデバイスを介してショッピングモールＳによって提供される無線ネットワークＳ１を検索し、無線ネットワークＳ１に接続し、端末デバイス上に事前にインストールされたショッピングモールアプリケーションの実行を開始することができる。そうしているうちに、ユーザＡは、WI-FIを介してレストランＭによってブロードキャストされる無線ネットワークＭ１を検索し、無線ネットワークＭ１に接続することによってレストランＭの電子クーポンを受信することができる。
【０００５】
ユーザが端末デバイスを通じて商人のブロードキャスト情報を受信した後、一般に、サービス情報の特定のコンテンツを獲得するか、または対応するサービスを享受するために、ユーザは商人の情報送信デバイスとの通信接続をさらに確立する必要がある。サービス情報が様々な情報プロバイダから利用可能である場合、ユーザは、情報プロバイダの無線ネットワークにアクセスするか、または情報プロバイダに関連するアプリケーションにログインするなど、情報プロバイダの各々とのアクティブ接続を確立する必要があるであろう。サービス情報のコンテンツを取得するためのプロセスは比較的面倒であり、その結果、ユーザは、特に周辺エリアにおいて多数の情報プロバイダが利用可能である場合、所望のサービスを即座に選択できない可能性がある。
【発明の概要】
【課題を解決するための手段】
【０００６】
概要
本開示は、サービス情報のコンテンツを取得するための方法を提供する。いくつかの実施形態と一致して、方法は、サービス情報プロバイダによって提供される無線ネットワークと関連付けられたサービスネットワーク情報を検出するステップと、サービスネットワーク情報に含まれる識別子を取得するステップと、識別子がデータベースに格納されているかどうかを判断するステップと、識別子がデータベースに格納されていると判断される場合に、識別子とサービス情報のコンテンツとの間の対応する関係に基づいて、サービス情報のコンテンツを取得するステップとを含む。
【０００７】
いくつかの実施形態と一致して、本開示は、サービス情報のコンテンツを取得するための別の方法を提供する。方法は、サービス情報プロバイダによって提供される無線ネットワークと関連付けられたサービスネットワーク情報を検出するステップと、サービスネットワーク情報に含まれる識別子を取得するステップと、識別子とサービス情報プロバイダとの間の対応する関係に基づいて、サービス情報プロバイダを識別するステップと、識別されたサービス情報プロバイダに基づいて、サービス情報のコンテンツを取得するステップと、端末デバイス上にサービス情報のコンテンツを表示するステップとを含む。
【０００８】
いくつかの実施形態と一致して、本開示は、サービス情報のコンテンツを取得するためのデバイスを提供する。デバイスは、サービス情報プロバイダによって提供される無線ネットワークと関連付けられたサービスネットワーク情報を検出するように構成された情報検出モジュールと、サービスネットワーク情報に含まれる識別子を取得するように構成された識別子取得モジュールと、識別子がデータベースに格納されているかどうかを判断するように構成された判断モジュールとを含む。デバイスは、識別子がデータベースに格納されていると判断モジュールが判断する場合に、識別子とサービス情報のコンテンツとの間の対応する関係に基づいて、サービス情報のコンテンツを取得するように構成されたコンテンツ取得モジュールをさらに含み得る。
【０００９】
開示される実施形態の追加の目的および利点は、以下の説明においてある程度記載されており、説明からある程度明らかになるか、または実施形態の実践により学習することができる。開示される実施形態の目的および利点は、請求項に記載される要素および組合せによって実現および達成することができる。
【００１０】
前述の概要および以下の詳細な説明は両方とも例示的なものであり、説明することのみを目的とし、特許請求されるような開示される実施形態を限定しようとするものではないことを理解されたい。
【００１１】
図面の簡単な説明
本明細書に組み込まれ、本明細書の一部を構成する添付の図面は、本発明と一致する実施形態を示し、説明と共に本発明の原理を説明する役割を果たす。
【図面の簡単な説明】
【００１２】
【図１】本開示と一致する、サービス情報のコンテンツを取得するための例示的な方法のフローチャートである。
【図２】本開示と一致する、サービス情報のコンテンツを取得するための別の例示的な方法のフローチャートである。
【図３】本開示と一致する、サービス情報のコンテンツを取得するための別の例示的な方法のフローチャートである。
【図４】本開示と一致する、サービス情報のコンテンツを取得するための別の例示的な方法のフローチャートである。
【図５】本開示のいくつかの実施形態と一致する、サービス情報のコンテンツを取得するための例示的なデバイスのブロック図である。
【図６】本開示のいくつかの実施形態と一致する、サービス情報のコンテンツを取得するための別の例示的なデバイスのブロック図である。
【図７】本開示のいくつかの実施形態と一致する、サービス情報のコンテンツを取得するための別の例示的なデバイスのブロック図である。
【発明を実施するための形態】
【００１３】
実施形態の説明
ここでは、例示的な実施形態を詳細に参照し、その例は、添付の図面に示される。以下の説明は、添付の図面を参照し、添付の図面では、異なる図面における同じ番号は、別段の表現がない限り、同じまたは同様の要素を表す。例示的な実施形態の以下の説明において記載される実装形態は、本発明と一致するすべての実装形態を表すわけではない。代わりに、それらの実装形態は、添付の請求項に記述される本発明に関連する態様と一致する装置および方法の単なる例である。
【００１４】
本開示のいくつかの実施形態と一致して、サービス情報のコンテンツを取得するための方法が提供される。方法は、ユーザが対応する情報プロバイダとの通信接続を確立する前に、端末デバイスがサービス情報のコンテンツを表示できるようにする。さらに、方法は、特定の情報ブロードキャストデバイスと関連付けられた特定の発見モードを考慮することをユーザに要求せず、サービス情報のコンテンツは、所望のサービスを取得するために、ユーザに即座に提示することができる。
【００１５】
無線通信能力を有する端末デバイスは、周辺エリアにおいて様々な情報プロバイダによってブロードキャストされるサービスネットワーク情報を検出するように構成することができる。例えば、端末デバイスは、２．４ＧＨｚベースの低電力通信によってブロードキャストされるBluetoothネットワーク、または８０２．１１プロトコルに基づいてWI-FIルータによってブロードキャストされる指定されたサービスセット識別子（ＳＳＩＤ）および媒体アクセス制御（ＭＡＣ）アドレスを有するWI-FIネットワークを検出するように構成することができる。端末デバイスは、サービスプロバイダによって採用される情報ブロードキャストデバイスのタイプに基づいてサービスネットワークを発見するために、異なる情報受信デバイスを使用することができる。例えば、端末デバイスは、ブロードキャストBluetoothネットワーク情報を受信するために、内部のBluetoothモジュールを使用して、周辺のBluetoothビーコン情報を検出することができる。別の例として、端末デバイスは、対応するサービスを取得するために、WI-FIモジュールを使用して周辺のＳＳＩＤを走査し、無線ローカルエリアネットワーク（ＷＬＡＮ）に接続することができる。本開示では、端末デバイスは、無線アクセス装置（無線ネットワークカードなど）を有するラップトップ、ネットブック、携帯電話、携帯情報端末（ＰＤＡ）、モバイルインターネットデバイス（ＭＩＤ）または同様のものを含み得る。
【００１６】
図１は、本開示と一致する、サービス情報のコンテンツを取得するための例示的な方法１００のフローチャートである。例示的な方法１００は、端末デバイスによって実行することができる。図１を参照すると、方法１００は、以下のステップを含む。
【００１７】
ステップＳ１０１では、端末デバイスは、サービスネットワーク情報を検出し、検出したサービスネットワーク情報の識別子を取得する。サービスネットワーク情報は、Bluetooth、赤外線、ＷＬＡＮ、セルラ移動通信、音響波または他の無線通信技術を介して、サービス情報プロバイダによって提供することができる。例えば、商人Ｂは、AlipayFreeのＳＳＩＤによって無料のＷＬＡＮサービスをセットアップすることができる。端末デバイスは、AlipayFree無線ネットワークのルータによってブロードキャストされるサービスネットワーク情報を検出することができる。例えば、サービスネットワーク情報は、AlipayFree無線ネットワークのＳＳＩＤおよび／またはAlipayFree無線ネットワークを提供するWI-FIデバイスのデバイス識別子を含み得る。サービスネットワーク情報は、情報を提供するデバイスのタイプに応じて異なり得る。例えば、サービスネットワーク情報をブロードキャストするためにBluetoothデバイスが取り入れられる場合、端末デバイスは、サービスネットワーク情報を伝えるBluetoothビーコンを検出することができる。
【００１８】
いくつかの実施形態では、サービスネットワークを識別する識別子は、事前に定義することができる。例えば、識別子は、サービスネットワーク情報の特定のフィールドに含めることができる。別の例として、識別子は、サービスネットワーク情報全体またはサービスネットワーク情報によって独自に識別される他の識別情報であり得る。識別子は、特定のデバイスまたはアプリケーションシナリオに従って設定することができる。例えば、識別子は、ＷＬＡＮのＳＳＩＤまたはBluetoothデバイスによってブロードキャストされるBluetoothビーコンなど、無線通信ネットワークの識別情報であり得る。別の例として、識別子は、端末デバイスによってＷＬＡＮが発見される場合に取得することができる、サービスネットワークを提供するWI-FIデバイスのシリアル番号またはＭＡＣアドレスなど、ネットワークデバイスの識別情報であり得る。
【００１９】
ステップＳ１０２では、端末デバイスは、サービスネットワーク情報の識別子がデバイスデータベースに格納されているかどうかを判断する。例えば、端末デバイスは、識別子を、デバイスデータベースに事前に格納されたプリセット識別子と比較することができる。いくつかの実装形態では、識別子は、デバイスデータベースのプリセット識別子の各々と比較することができ、デバイスデータベースのプリセット識別子が識別子と同一であれば、端末デバイスは、識別子に対応するサービスネットワーク情報がユーザへのサービス情報の提供に対して事前に登録または許可されていると判断することができる。デバイスデータベースのプリセット識別子が識別子と同一でなければ、端末デバイスは、識別子に対応するサービスネットワーク情報が登録または許可されていないと判断し、サービスネットワーク情報を無視するなど、プリセット処理規則に従って情報を処理することができる。
【００２０】
デバイスデータベースに格納されたプリセット識別子は、サービスネットワーク情報をブロードキャストしているWI-FIデバイスのシリアル番号またはＭＡＣアドレスなど、様々な情報プロバイダデバイスの事前に定義された識別情報を含み得る。また、プリセット識別子は、WI-FIネットワークのＳＳＩＤ、Bluetoothビーコンなど、サービス情報を提供する無線ネットワークの識別情報も含み得る。例えば、デバイスデータベースは、モールの入口に位置する電気器具商人Ｂ１の第１のWI-FIデバイスのＭＡＣアドレスＡＤＤ＿０１、電気器具商人Ｂ１によってモールの二階に配置された第２のWI-FIデバイスのＭＡＣアドレスＡＤＤ＿０２、およびモール付近のレストランＭのBluetoothデバイスによって放送されるBluetoothビーコンを含み得る。また、いくつかの実施形態では、プリセット識別子は、セルラ移動ネットワークのセル識別コードなど、セルラ移動ネットワークの領域識別情報も含み得る。
【００２１】
いくつかの実装形態では、デバイスデータベースは、端末デバイスにおける情報データ格納ユニットに格納することができる。また、デバイスデータベースは、リモートまたは専用サーバに位置する情報データ格納ユニットに格納することもでき、端末デバイスは、サーバと情報を交換することによって、サービスネットワーク情報の識別子がデバイスデータベースに格納されているかどうかを判断することができる。さらに、デバイスデータベースは、ブロードキャストデバイスの地理的な場所、情報提供に対するブロードキャストデバイスのステータス、対応するサービス情報プロバイダなど、サービスネットワーク情報と関連付けられたブロードキャストデバイスの他の情報を含み得る。
【００２２】
ステップＳ１０３では、識別子がデバイスデータベースに格納されていると判断される場合に、端末デバイスは、識別子とコンテンツとの間の対応する関係に基づいて、サービス情報のコンテンツを取得する。それに続いて、サービス情報のコンテンツは、ユーザがブラウズして選択できるように、端末デバイス上に出力および表示することができる。
【００２３】
いくつかの実施形態では、識別子に対応するコンテンツは、プリセットすることができ、１つまたは複数の情報を含み得る。例えば、サービス情報のコンテンツは、プロモーション、オファー、情報表示、指定されたアプリケーションへの無料のインターネットアクセスなどを含み得る。表１は、プリセット識別子とコンテンツとの間の対応する例示的な関係を示す。
【００２４】
【表１】
0006611793.tif 000002
【００２５】
図２は、本開示と一致する、サービス情報のコンテンツを取得するための別の例示的な方法２００のフローチャートである。例示的な方法２００は、端末デバイスによって実行することができる。方法２００では、サービス情報は、ある特定の規則に基づいて、端末デバイス上に出力および表示することができる。図２を参照すると、上記で説明されるステップＳ１０１〜Ｓ１０３に加えて、例示的な方法２００は、ステップＳ１０４をさらに含み得る。
【００２６】
ステップＳ１０４では、端末デバイスは、対応するサービスネットワーク情報の信号強度を検出し、サービスネットワーク情報の信号強度に基づいて順番にサービス情報のコンテンツを配列し、その順番に従ってコンテンツを表示する。例えば、サービスネットワーク情報のプロバイダは、大規模なショッピングモールまたは地下の歩行者用の通りなどのある特定のエリアに位置し得る。ユーザが、様々なサービスネットワーク情報プロバイダをカバーするエリアに入ると、端末デバイスは、複数のサービスネットワーク情報プロバイダからの複数のサービスネットワーク情報を検出し、サービスネットワーク情報の各々に対してサービス情報の別々のコンテンツを識別することができる。端末デバイスは、対応するサービスネットワーク情報の信号強度に基づいて、複数のサービスネットワーク情報に対応するサービス情報のコンテンツを配列することができる。いくつかの実装形態では、サービスネットワーク情報の高い信号強度に対応するコンテンツは、ディスプレイの上部に配置することができ、その結果、ユーザは、サービスネットワーク情報のより高い信号強度に対応するコンテンツを選択することができる。
【００２７】
図３は、本開示と一致する、サービス情報のコンテンツを取得するための別の例示的な方法３００のフローチャートである。方法３００は、端末デバイスによって実行することができる。図３を参照すると、上記で説明されるステップＳ１０１〜Ｓ１０４に加えて、例示的な方法３００は、ステップＳ１０５をさらに含み得る。
【００２８】
ステップＳ１０５では、端末デバイスは、サービス情報のコンテンツと関連付けられた動作を決定し、コンテンツのユーザ選択が検出される際に動作をトリガする。サービス情報のコンテンツと関連付けられた動作は、プリセットすることができ、ユーザがコンテンツを選択した時点で実行されるプリセットステップまたは動作を含み得る。例えば、サービス情報のコンテンツと関連付けられた動作は、端末デバイス上での指定されたアプリケーションの始動、指定されたウェブページへの接続、ある特定の情報の受信、ある特定の情報の格納、指定されたアプリケーションのダウンロードまたは同様のものを含み得る。サービス情報のコンテンツと関連付けられた動作は、上記の動作に限定されず、特定のサービスプロバイダ、サービス情報などに基づいて設定することができる。
【００２９】
いくつかの実施形態では、端末デバイスは、コンテンツのユーザ選択に応答して、対応するアプリケーションを始動することができ、それにより、ユーザは、コンテンツに対応するアプリケーションに好都合にアクセスすることができる。例えば、ユーザが「このエリアでTaobaoにログインすると、２００Ｍの無料データトラフィックを享受することができる」というコンテンツを選択すると、端末デバイス上のTaobaoアプリケーションが始動されるようにプリセットすることができる。他の実施形態では、ユーザがコンテンツを選択した後、端末デバイスは、ある特定の情報を受信して格納することができる。例えば、ユーザが「ストリート１のレストランＭの５０パーセントオフクーポンを受信する」を選択すると、レストランＭによってBluetoothを介して電子クーポンが端末デバイスに送信され、端末デバイスの既定のフォルダに格納されるようにプリセットすることができる。
【００３０】
上記で説明される方法では、特定のサービス情報のコンテンツは、サービスネットワーク情報において受信される事前に定義された識別子を通じて取得することができる。その結果、ユーザは、情報プロバイダとの通信接続を確立するための、または情報プロバイダに対応するアプリケーションを始動するための情報プロバイダによって使用されるブロードキャストデバイスの特定の発見モード（Bluetooth、WI-FIなど）を知っている必要がなくなる。そうすることで、ユーザは、利用可能なサービス情報のコンテンツに即座にアクセスし、所望のサービスを取得することができる。
【００３１】
図４は、本開示と一致する、サービス情報のコンテンツを取得するための別の例示的な方法４００のフローチャートである。方法４００は、端末デバイスによって実行することができる。方法４００では、サービスネットワーク情報の識別子を取得した後、識別子に対応するサービス情報プロバイダを識別し、次いで、サービス情報プロバイダによって提供されるサービス情報のコンテンツを取得し、ユーザがブラウズして選択できるように、端末デバイス上に出力することができる。図４を参照すると、方法４００は以下のステップを含む。
【００３２】
ステップＳ４０１では、端末デバイスは、サービスネットワーク情報を検出し、サービスネットワーク情報の識別子を取得する。識別子は、ブロードキャストデバイスのシリアル番号またはＭＡＣアドレスなど、サービスネットワーク情報を放送するデバイスの識別情報を含み得る。ステップＳ４０１は、図１と関係して上記で説明されるステップＳ１０１のものと同様の方法で実装することができる。
【００３３】
ステップＳ４０２では、端末デバイスは、識別子とサービス情報プロバイダとの間の対応する関係に基づいて、識別子に対応するサービス情報プロバイダを識別する。例えば、ネットワークデバイスを使用してサービスネットワーク情報をブロードキャストするサービス情報プロバイダは、ネットワークデバイスの識別情報に基づいて識別することができる。
【００３４】
ステップＳ４０３では、端末デバイスは、識別したサービス情報プロバイダに基づいてサービス情報のコンテンツを取得し、端末デバイス上にコンテンツを表示する。例えば、サービス情報プロバイダから利用可能なサービスは、サービス情報のコンテンツとしてプリセットすることができ、識別子に従ってサービス情報プロバイダが識別されると、サービス情報プロバイダから利用可能なサービスは、ユーザがブラウズして選択できるように、端末デバイス上に出力および表示することができる。サービス情報のコンテンツは、図１と関係して上記で説明されており、従って、ここでは繰り返さない。
【００３５】
ステップＳ４０４では、端末デバイスは、対応するサービスネットワーク情報の信号強度を検出し、サービスネットワーク情報の信号強度に基づいて順番にサービス情報のコンテンツを配列し、その順番に従ってコンテンツを表示することができる。ステップＳ４０４は、図２と関係して上記で説明されるステップＳ１０４のものと同様の方法で実装することができる。
【００３６】
ステップＳ４０５では、端末デバイスは、サービス情報のコンテンツと関連付けられた動作を決定し、コンテンツのユーザ選択が検出される際に動作をトリガすることができる。コンテンツと関連付けられた動作は、クライアント上での指定されたアプリケーションの始動、指定されたウェブページへの接続、ある特定の情報の受信、ある特定の情報の格納、指定されたアプリケーションのダウンロードまたは同様のものを含み得る。ステップＳ４０５は、図３と関係して上記で説明されるステップＳ１０５のものと同様の方法で実装することができる。
【００３７】
いくつかの実施形態では、識別子は、移動通信オペレータから提供されるセルラ移動ネットワークの領域識別情報であり得る。例えば、セル識別コードを識別子として使用することができる。例示的なアプリケーションシナリオでは、セルＣの移動通信オペレータＴの顧客は、データ使用料を無料で、ある特定のアプリケーションにログインするか、またはある特定のウェブサイトにアクセスするなどの特別なサービスを享受することができる。いくつかの実装形態では、セル識別コードは、端末デバイスが指定されたセルＣに入った後、端末デバイスによって取得されることができ、次いで、モバイルオペレータＴによって提供されるサービス情報の対応するコンテンツは、セル識別コードに従って取得することができる。また、いくつかの実装形態では、領域識別情報は、セルラ移動ネットワークの異なる領域を区別するための位置エリアコード（ＬＡＣ）も含み得る。
【００３８】
上記で説明される無線通信ネットワークは、Bluetooth、IrDA、８０２．１１シリーズプロトコルに基づくWI-FIまたはＷＬＡＮ、WI-FI Direct、超広帯域、Zigbee（登録商標）、近距離無線通信（ＮＦＣ）、WImax（登録商標）などの近距離無線通信技術を採用することができる。また、本開示の範囲を逸脱することなく、上記で説明される実施形態を実装するために、他の通信技術を使用することもできる。
【００３９】
図５は、本開示のいくつかの実施形態と一致する、サービス情報のコンテンツを取得するための例示的なデバイス５００のブロック図である。デバイス５００は、端末デバイスの一部またはすべてとして実装することができる。図５を参照すると、デバイス５００は、情報検出モジュール５０１、識別子取得モジュール５０２、判断モジュール５０３およびコンテンツ取得モジュール５０４を含み得る。いくつかの実施形態では、デバイス５００は、デバイスデータベース５０５および対応する関係ライブラリ５０６をさらに含み得る。
【００４０】
情報検出モジュール５０１は、サービスネットワーク情報を検出するように構成される。識別子取得モジュール５０２は、検出されたサービスネットワーク情報から識別子を取得するように構成される。判断モジュール５０３は、サービスネットワーク情報の取得された識別子がデバイスデータベース５０５に格納されているかどうかを判断するように構成される。例えば、判断モジュール５０３は、サービスネットワーク情報の識別子を、デバイスデータベース５０５に格納されたプリセット識別子と比較するように構成することができる。
【００４１】
コンテンツ取得モジュール５０４は、取得された識別子がデバイスデータベース５０５に格納されていると判断モジュール５０４が判断する場合に、識別子および対応する関係ライブラリ５０６に格納された対応する関係に基づいて、サービス情報のコンテンツを取得するように構成される。
【００４２】
図５に示されるように、デバイスデータベース５０５および対応する関係ライブラリ５０６は、端末デバイスにローカルで格納することも、サーバにリモートで格納することもできる。デバイスデータベース５０５がリモートサーバに格納される場合、判断モジュール５０３は、識別子がデバイスデータベースに格納されているかどうかを判断するためのサーバとの情報交換を実行するように構成することができる。同様に、対応する関係ライブラリ５０６がリモートサーバに格納される場合、コンテンツ取得モジュール５０４は、サービス情報のコンテンツを取得するためのサーバとの情報交換を実行するように構成することができる。
【００４３】
図６は、本開示のいくつかの実施形態と一致する、サービス情報のコンテンツを取得するための別の例示的なデバイス６００のブロック図である。デバイス６００は、端末デバイスの一部またはすべてとして実装することができる。図６を参照すると、デバイス６００は、上記で説明される情報検出モジュール５０１、識別子取得モジュール５０２、判断モジュール５０３、コンテンツ取得モジュール５０４、デバイスデータベース５０５および対応する関係ライブラリ５０６に加えて、配列モジュール５０７および表示モジュール５０８をさらに含み得る。
【００４４】
配列モジュール５０７は、サービスネットワーク情報の信号強度を検出し、信号強度に基づいて順番にサービス情報のコンテンツを配列するように構成される。表示モジュール５０８は、配列された順番に従ってコンテンツを表示するように構成される。
【００４５】
この実施形態では、サービスネットワーク情報の信号強度に従ってサービス情報のコンテンツをユーザに表示することによって、ユーザは、高い信号強度を有するコンテンツを好都合に選択することができ、それにより、サービスのユーザ経験が改善される。
【００４６】
図７は、本開示のいくつかの実施形態と一致する、サービス情報のコンテンツを取得するための別の例示的なデバイス７００のブロック図である。デバイス７００は、端末デバイスの一部またはすべてとして実装することができる。図７を参照すると、デバイス７００は、上記で説明される情報検出モジュール５０１、識別子取得モジュール５０２、判断モジュール５０３、コンテンツ取得モジュール５０４、デバイスデータベース５０５、対応する関係ライブラリ５０６、配列モジュール５０７および表示モジュール５０８に加えて、動作開始モジュール５０９をさらに含み得る。
【００４７】
動作開始モジュール５０９は、サービス情報のコンテンツと関連付けられた動作を決定し、コンテンツのユーザ選択が検出される際に動作をトリガするように構成される。いくつかの実施形態では、サービス情報のコンテンツと関連付けられた動作は、端末デバイス上での指定されたアプリケーションの始動、指定されたウェブページへの接続、ある特定の情報の受信、ある特定の情報の格納、指定されたアプリケーションのダウンロードまたは同様のものを含み得る。
【００４８】
いくつかの実施形態では、異なるネットワークデバイスによって提供される様々なタイプのサービスネットワーク情報は、情報データモデルによって表すことができ、サービスネットワーク情報は、BluetoothおよびWI-FIなどの異なるタイプのサービス情報発見モード間の違いを考慮するために、既定の情報処理方法によって取得して処理することができる。そうすることで、ユーザは、サービス情報のコンテンツを取得するか、または対応するサービスアプリケーションにアクセスすることを好都合に行うことができ、それにより、サービスのユーザ経験が改善される。
【００４９】
実施形態は、WI-FI、セルラ移動通信およびBluetoothなどの通信プロトコルを参照して説明されているが、本開示は、WI-FI、セルラ移動通信およびBluetoothなどの標準の通信プロトコルを有するアプリケーションに限定されない。また、説明される実施形態は、標準の通信プロトコルから修正された独自のプロトコルまたは送信メカニズムによって実装することもできる。
【００５０】
例示的な実施形態では、命令を含む非一時的なコンピュータ可読記憶媒体も提供され、命令は、上記で説明される方法を実行するために、デバイス（端末デバイス、サーバ、パーソナルコンピュータまたは同様のものなど）によって実行することができる。デバイスは、１つまたは複数のプロセッサ（ＣＰＵ）、入力／出力インタフェース、ネットワークインタフェースおよび／またはメモリを含み得る。例えば、非一時的なコンピュータ可読記憶媒体は、読み取り専用メモリ（ＲＯＭ）、ランダムアクセスメモリ（ＲＡＭ）、コンパクトディスク読み取り専用メモリ（ＣＤ−ＲＯＭ）、磁気テープ、フロッピー（登録商標）ディスクおよび光データ記憶装置などであり得る。
【００５１】
本明細書の「第１の」および「第２の」などの関係語は、実体または動作を別の実体または動作と区別するためにのみ使用され、これらの実体または動作間の実際のいかなる関係または順番も必要とされないかまたは含意しないことに留意すべきである。さらに、「含む（comprising）」、「有する（having）」、「含有する（containing）」、「包含する（including）」および他の同様の形態は、意味が均等であることが意図され、これらの用語のいずれか１つに続く１つまたは複数のアイテムがそのような１つまたは複数のアイテムの網羅的なリストではないか、またはリストに記載される１つまたは複数のアイテムのみに限定されないという点で非限定的であることが意図される。
【００５２】
当業者であれば、上記で説明される実施形態は、ハードウェア、ソフトウェア（プログラムコード）、またはハードウェアとソフトウェアとの組合せによって実装できることが理解されよう。ソフトウェアによって実装される場合、それは、上記で説明されるコンピュータ可読媒体に格納することができる。プロセッサによって実行される場合、ソフトウェアは、開示される方法を実行することができる。この開示で説明されるコンピューティングユニットおよび他の機能ユニットは、ハードウェア、ソフトウェア、またはハードウェアとソフトウェアとの組合せによって実装することができる。また、当業者であれば、上記で説明されるモジュール／ユニットの複数のものを１つのモジュール／ユニットとして組み合わせることができ、上記で説明されるモジュール／ユニットの各々を複数のサブモジュール／サブユニットにさらに分割できることも理解されよう。
【００５３】
本発明の他の実施形態は、本明細書を考慮することからおよび本明細書で開示される本発明を実践することから当業者に明らかになるであろう。本出願は、その一般原理に従う、当技術分野で知られているものまたは慣例の範囲内に入るような本開示からの逸脱を含む、本発明のいかなる変形形態、使用または適応形態も包含することが意図される。本明細書および例は単なる例示と見なされ、本発明の真の範囲および趣旨は以下の請求項によって示されることが意図される。
【００５４】
本発明は、上記で説明され、添付の図面に示される正確な構造に限定されず、その範囲から逸脱することなく様々な変更形態および変化形態がなされ得ることが理解されるであろう。本発明の範囲は、添付の請求項によってのみ限定されるべきであることが意図される。
【図１】
0006611793.tif 000003
【図２】
0006611793.tif 000004
【図３】
0006611793.tif 000005
【図４】
0006611793.tif 000006
【図５】
0006611793.tif 000007
【図６】
0006611793.tif 000008
【図７】
0006611793.tif 000009